(57)【要約】【課題】既設のトイレットペーパーホルダーにそのまま取り付けることができ、トイレットペーパーの切断端部をトイレットペーパーの外周面から確実に分離することができるトイレットペーパー切断端部の分離装置を提供する。【解決手段】トイレットペーパーホルダー１或いはトイレの壁部に取り付けられる軸受け部２１と、軸受け部２１に回動自在に取り付けられた回動支持軸２４と、回動支持軸２４に固定されて一緒に回動し、上方に引き出されたトイレットペーパー１０の端部１２Ａが引っ掛けられる持ち上げ部２２と、回動支持軸２４および持ち上げ部２２が上側に回動するように付勢するばね部材２５とを備える。【選択図】図１
2014046058.tif 000002
【特許請求の範囲】
【請求項１】
トイレットペーパーを切断した後の切断端部をトイレットペーパーの外周面から分離するトイレットペーパー切断端部の分離装置であって、
トイレットペーパーホルダー或いはトイレの壁部に取り付けられる軸受け部と、
前記軸受け部に回動自在に取り付けられた回動支持軸と、
前記回動支持軸に固定されて一緒に回動し、上方に引き出された前記トイレットペーパーの端部が引っ掛けられる持ち上げ部と、
前記回動支持軸および前記持ち上げ部が上側に回動するように付勢するばね部材と
を備えたことを特徴とするトイレットペーパー切断端部の分離装置。
【請求項２】
前記回動支持軸に対して回動自在に取り付けられ、前記持ち上げ部の回動に追従して一緒に回動し、前記持ち上げ部に引っ掛けられたトイレットペーパーの端部を前記持ち上げ部とともに押さえ込むための押さえ部が設けられていることを特徴とする請求項１に記載のトイレットペーパー切断端部の分離装置。
【発明の詳細な説明】
【技術分野】
【０００１】
本発明は、トイレットペーパーの切断端部の位置を探すことなく、この切断端部を容易に掴み取ることができるようにするトイレットペーパー切断端部の分離装置に関する。
【背景技術】
【０００２】
トイレットペーパーが取り付けられるトイレットペーパーホルダーは、一般的に、トイレットペーパーを両側部から回転可能に保持する本体部と、トイレットペーパーの上側を覆う蓋部とで構成されている。また、この蓋部は、本体部の奥側に設けられた回転軸を中心に上下に回動するようになっており、その手前側のエッジ部をトイレットペーパーの外周面に宛がうようにしてトイレットペーパーを切断する。このように、蓋部が回動することによって、トイレットペーパーの使用によってその直径が小さくなったとしても、エッジ部が外周面に追従して回動し、容易にトイレットペーパーが切断できるようになっている。
【０００３】
このような構造を有するホルダーでは、トイレットペーパーを手前側に引き出してエッジ部で切断すると、トイレットペーパーの切断した端部（以下、切断端部という）がトイレットペーパーの円筒状の外周面にくっついて、この切断端部の位置が分からなくなる場合がある。特に年配で視力の弱い方々からは、このくっついた切断端部を見つけるのに苦労をするという意見が聞かれる。また、切断端部が見つけられたとしても、トイレットペーパーの外周面にくっついた切断端部を引き剥がす作業も煩わしい。
【０００４】
このような問題を解決するために、従来では種々の技術が提案されている。
例えば、蓋部のほぼ中央に長穴を設け、この長穴から指を入れてトイレットペーパーを引出方向へ回転させることによって、蓋部を持ち上げずにトイレットペーパーの切断端部を下側に送り出すものが知られている（例えば、特許文献１参照）。
【０００５】
また、ホルダーの蓋部の先端部に切り込みを入れ、この切り込み部からトイレットペーパーを押し上げるための突起を備えた押し上げ部品を取り付けている。この構造によれば、トイレットペーパーの切断端部が切り込み部で押し上げられた状態になるので、従来に比べて切断端部を取り易くすることができる（例えば、特許文献２参照）。
【０００６】
さらに、板ばねを用いて蓋部を上側に付勢しており、蓋部を手で押さえてトイレットペーパーを切断した後に蓋部から手を離したときに、板ばねが蓋部を持ち上げようとする反発力でトイレットペーパーを引出方向へ少しだけ回転させ、切断端部を取り易くしようとするものである（例えば、特許文献３参照）。
【先行技術文献】
【特許文献】
【０００７】
【特許文献１】特開２０１１−１２０８４９号公報
【特許文献２】特開２０１０−１１０３４１号公報
【特許文献３】特開２００９−４７０号公報
【発明の概要】
【発明が解決しようとする課題】
【０００８】
しかしながら、上述した特許文献１および特許文献２の技術では、蓋部に長穴或いは切り込みを形成する必要があるため、既設のホルダーをそのまま使用することができない。そのため、ホルダー全体または蓋部を交換するためのコストが発生してしまう。
【０００９】
一方、特許文献３の技術では、既設の蓋部の裏側に板ばねを取り付けるだけで構成することができるが、トイレットペーパーの送り出し長さが短いことが予想され、切断端部を容易に掴むことができるようになるか疑問がある。特に、トイレットペーパーの切断端部はその外周面に静電気などでくっついた状態になることが多く、この場合にトイレットペーパーを回転させるだけで切断端部を外周面から十分に分離させることは難しい。さらには、切断端部を見失った状態では、この技術を用いてトイレットペーパーを回転させたとしても、切断端部を見つけ出して引き出すことはできない。これらの問題は、特許文献１の技術にも言えることである。
【００１０】
さらには、特許文献２の技術では、突起によって切断端部が押し上げられて分離したとしても、この突起を通過した後は再び静電気で外周面にくっついた状態になることが予想され、必ずしも切断端部が掴み易いとは言い難い。また、切り込みがエッジ部まで延びているので、この切り込みの部分でトイレットペーパーを切ることができなくなり、現実的ではない。
【００１１】
本発明は、上述した事情を鑑みてなされたものであり、その目的は、既設のトイレットペーパーホルダーにそのまま取り付けることができ、トイレットペーパーの切断端部をトイレットペーパーの外周面から確実に分離することができるトイレットペーパー切断端部の分離装置を提供することにある。
【課題を解決するための手段】
【００１２】
上述課題を解決するため、本発明は、既設のトイレットペーパーホルダー或いはトイレの壁部に取り付けられ、トイレットペーパーを切断した後の切断端部をトイレットペーパーの外周面から分離するトイレットペーパー切断端部の分離装置であって、前記トイレットペーパーホルダー或いは前記トイレの壁部に取り付けられる軸受け部と、前記軸受け部に回動自在に取り付けられた回動支持軸と、前記回動支持軸に固定されて一緒に回動し、上方に引き出された前記トイレットペーパーの端部が引っ掛けられる持ち上げ部と、前記回動支持軸および前記持ち上げ部が上側に回動するように付勢するばね部材とを備えたことを特徴とする。
【００１３】
また、前記回動支持軸に対して回動自在に取り付けられ、前記持ち上げ部の回動に追従して一緒に回動し、前記持ち上げ部に引っ掛けられたトイレットペーパーの端部を前記持ち上げ部とともに押さえ込むための押さえ部が設けられていてもよい。
【発明の効果】
【００１４】
本発明に係るトイレットペーパー切断端部の分離装置では、前記トイレットペーパーホルダー或いは前記トイレの壁部に取り付けられる軸受け部と、前記軸受け部に回動自在に取り付けられた回動支持軸と、前記回動支持軸に固定されて一緒に回動し、上方に引き出された前記トイレットペーパーの端部が引っ掛けられる持ち上げ部と、前記回動支持軸および前記持ち上げ部が上側に回動するように付勢するばね部材とを備えているので、持ち上げ部がばね部材によって上側へと持ち上げられ、トイレットペーパーの切断端部が上側へと自動的に持ち上げられるようになる。そのため、利用者は、ホルダーの蓋部を持ち上げるだけで、トイレットペーパーの切断端部を外周面から分離することができ、かつ、トイレットペーパーの端部を容易に掴み取ることができるようになる。そのため、外周面にくっついた切断端部を探す必要が無くなり、特に視力の弱くなった年配の方にとって利便性が向上する。
【図面の簡単な説明】
【００１５】
【図１】本発明の実施に係るトイレットペーパー切断端部の分離装置が取り付けられるトイレットペーパーホルダーの全体概要を表す分解斜視図である。
【図２】（Ａ）は、直径の大きなトイレットペーパーを切断する状態のときの側面図、（Ｂ）は、（Ａ）の状態から蓋部を持ち上げて、トイレットペーパーの切断端部をその外周面から分離した状態を示す側面図である。
【図３】（Ａ）は、直径の小さなトイレットペーパーを切断する状態のときの側面図、（Ｂ）は、（Ａ）の状態から蓋部を持ち上げて、トイレットペーパーの切断端部をその外周面から分離した状態を示す側面図である。
【発明を実施するための最良の形態】
【００１６】
以下、本発明の実施の形態に係るトイレットペーパー切断端部の分離装置２０（以下、分離装置２０という）について、図面を用いて詳細に説明する。
なお、以下の説明で使用する上下、前後、左右（幅方向）の方向は、トイレットペーパーホルダー１（以下、ホルダー１という）を正面から見た方向（図１の右斜め下側から見た方向、または、図２、図３の紙面右側から見た方向）をいうものとする。
【００１７】
ホルダー１は、一般住宅、ホテルの客室、或いは公共施設などのトイレに設置されたものである。このホルダー１は、現在では、使いやすさやデザイン性などによって様々な構造や付加機能を備えたものがあるが、本実施の形態では、ごく一般的に使用されているホルダー１を用いて説明する。
【００１８】
このホルダー１は、図１に示すように、取り付けられるトイレットペーパー１０を左右から保持する側壁部２、２と、トイレットペーパー１０の奥側に位置する奥壁部３と、トイレットペーパー１０の上側を覆う蓋部４とで構成されている。この奥壁部３は、左右の側壁部２、２と一体に構成されており、樹脂、或いは金属などで形成されている。
【００１９】
蓋部４は、図１に示すように、平板状に形成されており、その手前側の部分には、トイレットペーパー１０の外周面１０Ａに沿うように緩やかに湾曲した湾曲部４Ｂが形成されている（図２および図３参照）。また、この湾曲部４Ｂの手前側の先端部には、引き出したトイレットペーパー１０を切断するためのエッジ部４Ａがトイレットペーパーの幅方向に沿って連続して形成されている。
【００２０】
また、蓋部４の左右の奥側には、図１に示すように、取付部４Ｃ、４Ｃがそれぞれ設けられている。これらの取付部４Ｃは、回動軸５、５を介して左右の側壁部２、２にそれぞれ同軸上に回動可能に取り付けられている。これにより、蓋部４は、この回動軸５、５を中心に上下に回動し、トイレットペーパー１０の直径が小さくなったとしても、湾曲部４Ｂおよびエッジ部４Ａがトイレットペーパー１０の外周面１０Ａに追従するようになる。
【００２１】
また、左右の側壁部２、２には、図１に示すように、トイレットペーパー保持部６、６が中央に向けてそれぞれ突出している。このトイレットペーパー保持部６、６は、上側に回動可能に構成されており、上側に回動したときに左右の側壁部２、２の収容溝２Ａ、２Ａにそれぞれ収容される。このトイレットペーパー保持部６、６には、取り付けられるトイレットペーパー１０の芯１１の保持穴１１Ａが左右から挿入され、トイレットペーパー１０が回転可能に保持される。
【００２２】
このようなホルダー１にトイレットペーパー１０を取り付け、引き出したトイレットペーパーをエッジ部４Ａに沿って略水平に切断すると、その切断端部１２がトイレットペーパー１０の外周面１０Ａにぴったりとくっついてしまうことがある。そのため、本実施の形態では、この切断端部１２を外周面１０Ａから常に分離しておくことができる分離装置２０が取り付けられている。
【００２３】
分離装置２０は、図１に示すように、奥側に位置する軸受け部２１と、この軸受け部２１から手前側に突出する持ち上げ部２２、および、押さえ部２３とで構成されている。
軸受け部２１は、略水平に延在しており、その左右の両端部では、回動支持軸２４が回動自在に支持されている。
【００２４】
持ち上げ部２２は、図１に示すように、棒状部材を略コ字形状に折り曲げて形成されており、このコ字形状の先端部２２Ａが手前側に向くようにして取り付けられている。また、コ字形状の奥側の左右の端部（先端部２２Ａと反対側の端部）は、上述した回動支持軸２４に固定されている。これにより、持ち上げ部２２は、回動支持軸２４の回動に伴って上下に回動するようになる。これらの持ち上げ部２２および回動支持軸２４は、金属材料を用いて構成することもできるし、樹脂材料を用いて一体に形成することもできる。
【００２５】
また、回動支持軸２４の左右の両端部には、図１に示すように、軸受け部２１と持ち上げ部２２との間に、トーションばね２５、２５が設けられている。このトーションばね２５、２５は、回動支持軸２４（および持ち上げ部２２）が上側に回動するように付勢しており、蓋部４を開いた状態（図２（Ｂ）および図３（Ｂ）参照）では、持ち上げ部２２の先端部２２Ａがトイレットペーパー１０の外周面１０Ａから離れた上方の位置まで押し上げられるようになる。
【００２６】
一方、持ち上げ部２２は、蓋部４を下側に閉じた状態（図２（Ａ）および図３（Ａ）参照）では、蓋部４の自重によって押し下げられ、トイレットペーパー１０の外周面１０Ａの上部に接触する位置まで押し下げられるようになる。なお、持ち上げ部２２は、蓋部４を持ち上げた状態であっても、先端部２２Ａを手で軽く押し下げることによって簡単に下側に回動する。
【００２７】
また、持ち上げ部２２のコ字形状に折り曲げられた内幅寸法Ｌ２（図１参照）は、トイレットペーパー１０の幅寸法Ｌ１よりも大きくなるように形成されている。これにより、詳細は後述するが、引き出されたトイレットペーパー１０の端部１２Ａは、持ち上げ部２２の内側を通って、持ち上げ部２２の先端部２２Ａに引っ掛けるようにして取り付けることができるようになる（図２および図３参照）。
【００２８】
押さえ部２３は、図１に示すように、持ち上げ部２２と同様に、棒状部材を略コ字形状に折り曲げて形成されており、このコ字形状の先端部２３Ａが手前側に向くようにして取り付けられている。また、コ字形状の奥側の端部は、図１に示すように、円筒軸２６に固定されている。この円筒軸２６は、円筒の内部の穴に回動支持軸２４が挿通されており、回動支持軸２４によって支持され、かつ、この回動支持軸２４に対して自由に回動することができるようになっている。これにより、押さえ部２３は、持ち上げ部２２の上下への回動動作に追従する態様で一緒に回動するようになる。また押さえ部２３は、持ち上げ部２２の回動動作によらずに、単独で上側へ持ち上げることもできるようになる。
【００２９】
この押さえ部２３の幅寸法は、持ち上げ部２２の内幅寸法Ｌ２およびトイレットペーパー１０の幅寸法Ｌ１よりも短く（狭く）なるように形成されている。また、押さえ部２３の前後方向の長さは、持ち上げ部２２の前後方向の長さよりも長く形成されており、押さえ部２３の先端部２３Ａが持ち上げ部２２の先端部２２Ａよりも前側に突出する態様で構成されている。これにより、押さえ部２３は、詳細は後述するが、持ち上げ部２２の先端部２２Ａに引っ掛けられたトイレットペーパー１０の端部１２Ａを上側から押さえ込み、この押さえ部２３と持ち上げ部２２とで端部１２Ａを上下に挟み込むようになる（図２および図３参照）。
【００３０】
このように、分離装置２０は、軸受け部２１に持ち上げ部２２、押さえ部２３、回動支持軸２４、およびトーションばね２５、２５を組み付けて一体に構成される。この分離装置２０は、軸受け部２１の後面部分がホルダー１の奥壁部３に取り付けられる。この奥壁部３への取り付けは、例えば、図示しない両面テープを貼り付けて、これらの後面部分と奥壁部３の平面とに貼り付けるようにしている。また、ホルダー１の構造によっては奥壁部３がないものもあるが、その場合には、トイレの壁に軸受け部２１の後面部分を両面テープで直接貼り付けるようにしてもよい。
【００３１】
次に、本発明の実施の形態に係る分離装置２０の作用について、図２（Ａ）、図２（Ｂ）および図３（Ａ）、図３（Ｂ）を用いて説明する。
【００３２】
まずは、分離装置２０のセット方法について説明する。未使用のトイレットペーパー１０は、図２（Ｂ）に示すように、蓋部４および分離装置２０の持ち上げ部２２をそれぞれ上側に回動させた状態でホルダー１に取り付けられる。この取り付け方法は、ホルダー１の構造によって異なるが、本実施形態のホルダー１の場合には、トイレットペーパー保持部６を内側に倒して、トイレットペーパー１０の保持穴１１Ａに挿入することによって行われる。
【００３３】
トイレットペーパー１０が取り付けられた後、分離装置２０の押さえ部２３を単体でさらに上側に回動させ、トイレットペーパー１０の端部１２Ａを持ち上げ部２２の内側から通して、先端部２２Ａに引っ掛ける（図２（Ｂ）参照）。そして、押さえ部２３を下側に下ろして、トイレットペーパー１０の端部１２Ａを上側から押さえるようにする。最後に、蓋部４を下側に下ろしてセットが完了する（図２（Ａ）参照）。
【００３４】
次に、分離装置２０の使用方法について説明する。利用者は、まず、蓋部４を上側に持ち上げる。蓋部４を持ち上げると、持ち上げ部２２は、トーションばね２５によって上側に付勢され、蓋部４と同時に上側に自動で持ち上がる（図２（Ｂ）参照）。このとき、持ち上げ部２２の先端部２２Ａに引っ掛けられたトイレットペーパー１０の端部１２Ａは、持ち上げ部２２によって上側へ持ち上げられる。これにより、トイレットペーパー１０の切断端部１２は、トイレットペーパー１０の外周面１０Ａから分離される。利用者は、図２（Ｂ）に示すように、先端部２２Ａから下側に垂れる端部１２Ａを容易に掴み取ることができるようになる。
【００３５】
また、利用者は、掴み取った端部１２Ａを手前側に引くことで、容易にトイレットペーパー１０を引き出すことができる。このとき、持ち上げ部２２は、引き出す力にあわせて、トーションばねの弾性によって自由に上下に移動するので、トイレットペーパー１０に無理な張力を作用させないようにすることができる。そして、所定の長さを引き出した後、利用者は蓋部４を下側に降ろし、エッジ部４Ａでトイレットペーパー１０を切断する（図２（Ａ）参照）。さらに、次の利用者は、この状態から再び蓋部４を上に上げることで（図２（Ｂ）参照）、切断端部１２を探すことなく、容易に端部１２Ａを掴み取ることができるようになる。
【００３６】
上述した図２での説明は、トイレットペーパー１０の直径が大きい場合であるが、直径が小さくなった場合（図３（Ａ）、図３（Ｂ）参照）でも、同様に操作することで、切断端部１２を外周面１０Ａから分離させることができる。ただし、直径が小さくなった場合には、端部１２Ａを先端部２２Ａに引っ掛けた状態で、トイレットペーパー１０の外周面１０Ａから先端部２２Ａまでの角度が急になってしまう（図３（Ｂ）参照）。そのため、トイレットペーパー１０の端部１２Ａの自重、或いは外周面１０Ａで作用する静電気によって、端部１２Ａが先端部２２Ａから下側に落ちてしまい、先端部２２Ａに引っ掛からなくなってしまうことがある。これを防止するために、押さえ部２３が設けられている。この押さえ部２３でトイレットペーパー１０の端部１２Ａを先端部２２Ａに押さえ込む（挟み込む）ようにすることで、使用によって直径が小さくなった場合であっても、端部１２Ａが常に先端部２２Ａに引っ掛けられた状態を維持するようにしている。
【００３７】
本発明の実施の形態に係るトイレットペーパー切断端部の分離装置２０によれば、トイレットペーパー１０を切断した後の切断端部１２をトイレットペーパー１０の外周面１０Ａから分離する分離装置２０であって、トイレットペーパーホルダー１に取り付けられる軸受け部２１と、軸受け部２１に回動自在に取り付けられた回動支持軸２４と、回動支持軸２４に固定されて一緒に回動し、上方に引き出されたトイレットペーパー１０の端部１２Ａが引っ掛けられる持ち上げ部２２と、回動支持軸２４および持ち上げ部２２が上側に回動するように付勢するトーションばね２５とを備えているので、持ち上げ部２２がトーションばね２５によって上側へと持ち上げられ、トイレットペーパー１０の切断端部１２が上側へと自動的に持ち上げられるようになる。そのため、利用者は、ホルダー１の蓋部４を持ち上げるだけで、トイレットペーパー１０の切断端部１２を外周面１０Ａから分離することができ、かつ、トイレットペーパー１０の端部１２Ａを容易に掴み取ることができるようになる。そのため、外周面１０Ａにくっついた切断端部１２を探す必要が無くなり、特に視力の弱くなった年配の方にとっての利便性が向上する。
【００３８】
また、回動支持軸２４に対して回動自在に取り付けられ、持ち上げ部２２の回動に追従して一緒に回動し、持ち上げ部２２に引っ掛けられたトイレットペーパー１０の端部１２Ａを持ち上げ部２２とともに押さえ込むための押さえ部２３が設けられているので、持ち上げ部２２の先端部２２Ａに引っ掛けられたトイレットペーパー１０の端部１２Ａが自重等によって下側に落ちないようにすることができる。特に、使用によってトイレットペーパー１０の直径が小さくなって、端部１２Ａが自重で落ち易くなった状態であっても、この押さえ部２３で端部１２Ａを上側から押さえ込むことによって、常に先端部２２Ａに端部１２Ａが引っ掛けられた状態を維持することができる。
【００３９】
さらに、軸受け部２１を既設のホルダー１の奥壁部３、或いは既設のトイレの壁部に直接取り付けるようにしているので、既設のホルダー１を交換したり改造したりする必要がない。そのため、既設のホルダー１に分離装置２０を取り付けるのみで、分離装置２０の有用な効果を得ることができる。なお、当然に、新設するトイレットペーパーホルダー１に本発明の分離装置２０を取り付けて、セットで構成するようにしてもよい。
【００４０】
以上、本発明の実施の形態に係るトイレットペーパー切断端部の分離装置２０について述べたが、本発明は既述の実施形態に限定されるものではなく、本発明の技術思想に基づいて各種の変形および変更が可能である。
【００４１】
例えば、本実施の形態では、分離装置２０をホルダー１の奥壁部３に両面テープで取り付けるようにしているが、両面テープ以外であっても様々な方法で取り付けることができる。例えば、軸受け部２１に取付用の突出部を別途設け、この突出部と奥壁部３とをタッピングねじで取り付けるようにしてもよい。さらには、ホルダー１の左右の側壁部２、２に穴を明け、この穴に回動支持軸２４を挿通させるようにしてもよい。これらのように、既設のホルダー１の構造や形状に合わせて、分離装置２０が取り付け易い方法で適宜取り付けるようにすることができる。
【００４２】
また、本実施の形態では、押さえ部２３を設けているが、トイレットペーパー１０の直径が小さくなった場合であっても、先端部２２Ａに引っ掛けられた端部１２Ａが自重で落ちないようであれば、押さえ部２３を設けずに構成することもできる。例えば、先端部２２Ａを手前側に大きく張り出させるような場合には、端部１２Ａが自重で落ちる可能性が低いので、押さえ部２３を設けないで構成することが考えられる。
【００４３】
さらに、本実施の形態における押さえ部２３は、棒状部材をコ字形状に折り曲げたものを使用しているが、これに限定されない。すなわち、トイレットペーパー１０の端部１２Ａを上側から押さえ込むことができれば、例えば、平板状に形成してあってもよい。
【００４４】
また、持ち上げ部２２および押さえ部２３の前後方向における長さを自由に調整できるように構成してあってもよい。これによれば、既設のトイレットペーパーホルダー１に合わせてその長さを任意に調整し、最適な状態で使用できるようになる。
【符号の説明】
【００４５】
１  トイレットペーパーホルダー（ホルダー）
２  側壁部
２Ａ  収容溝
３  奥壁部
４  蓋部
４Ａ  エッジ部
４Ｂ  湾曲部
４Ｃ  取付部
５  回動軸
６  トイレットペーパー保持部
１０  トイレットペーパー
１０Ａ  トイレットペーパーの外周面
１１  芯
１１Ａ  保持穴
１２  切断端部
１２Ａ  トイレットペーパーの端部
２０  切断端部の分離装置（分離装置）
２１  軸受け部
２２  持ち上げ部
２２Ａ  先端部
２３  押さえ部
２３Ａ  先端部
２４  回動支持軸
２５  トーションばね（ばね部材）
２６  円筒軸
Ｌ１  トイレットペーパーの幅寸法
Ｌ２  持ち上げ部の内幅寸法
【図１】
2014046058.tif 000003
【図２】
2014046058.tif 000004
【図３】
2014046058.tif 000005
【手続補正書】
【提出日】平成24年11月30日(2012.11.30)
【手続補正１】
【補正対象書類名】特許請求の範囲
【補正対象項目名】全文
【補正方法】変更
【補正の内容】
【特許請求の範囲】
【請求項１】
トイレットペーパーを保持する本体部、およびトイレットペーパーの上部を覆い上下に回動可能な蓋部を有するトイレットペーパーホルダーに取り付けられ、前記蓋部でトイレットペーパーを切断した後の切断端部をトイレットペーパーの外周面から分離するトイレットペーパー切断端部の分離装置であって、
前記トイレットペーパーホルダー或いはトイレの壁部に取り付けられる軸受け部と、
前記軸受け部に回動自在に取り付けられた回動支持軸と、
前記回動支持軸に固定されて一緒に回動し、上方に引き出された前記トイレットペーパーの端部が引っ掛けられる持ち上げ部と、
前記蓋部を持ち上げたときに前記回動支持軸および前記持ち上げ部が上側に回動するように付勢するばね部材と、
前記回動支持軸に対して回動自在に取り付けられ、前記持ち上げ部の回動に追従して一緒に回動し、前記持ち上げ部に引っ掛けられたトイレットペーパーの端部を前記持ち上げ部とともに押さえ込むための押さえ部と
を備えたことを特徴とするトイレットペーパー切断端部の分離装置。
【請求項２】
前記軸受け部には、前記持ち上げ部、前記押さえ部、前記回動支持軸、および前記ばね部材が一体に組み付けられ、前記軸受け部が既設のトイレットペーパーホルダーに取り付けられることを特徴とする請求項１に記載のトイレットペーパー切断端部の分離装置。
【手続補正２】
【補正対象書類名】明細書
【補正対象項目名】００１２
【補正方法】変更
【補正の内容】
【００１２】
上述課題を解決するため、本発明は、トイレットペーパーを保持する本体部、およびトイレットペーパーの上部を覆い上下に回動可能な蓋部を有するトイレットペーパーホルダーに取り付けられ、前記蓋部でトイレットペーパーを切断した後の切断端部をトイレットペーパーの外周面から分離するトイレットペーパー切断端部の分離装置であって、前記トイレットペーパーホルダー或いはトイレの壁部に取り付けられる軸受け部と、前記軸受け部に回動自在に取り付けられた回動支持軸と、前記回動支持軸に固定されて一緒に回動し、上方に引き出された前記トイレットペーパーの端部が引っ掛けられる持ち上げ部と、前記蓋部を持ち上げたときに前記回動支持軸および前記持ち上げ部が上側に回動するように付勢するばね部材と、前記回動支持軸に対して回動自在に取り付けられ、前記持ち上げ部の回動に追従して一緒に回動し、前記持ち上げ部に引っ掛けられたトイレットペーパーの端部を前記持ち上げ部とともに押さえ込むための押さえ部とを備えたことを特徴とする。
【手続補正３】
【補正対象書類名】明細書
【補正対象項目名】００１３
【補正方法】変更
【補正の内容】
【００１３】
また、前記軸受け部には、前記持ち上げ部、前記押さえ部、前記回動支持軸、および前記ばね部材が一体に組み付けられ、前記軸受け部が既設のトイレットペーパーホルダーに取り付けられるようにしてもよい。
【手続補正４】
【補正対象書類名】明細書
【補正対象項目名】００１４
【補正方法】変更
【補正の内容】
【００１４】
本発明に係るトイレットペーパー切断端部の分離装置では、トイレットペーパーホルダー或いはトイレの壁部に取り付けられる軸受け部と、前記軸受け部に回動自在に取り付けられた回動支持軸と、前記回動支持軸に固定されて一緒に回動し、上方に引き出された前記トイレットペーパーの端部が引っ掛けられる持ち上げ部と、前記蓋部を持ち上げたときに前記回動支持軸および前記持ち上げ部が上側に回動するように付勢するばね部材と、前記回動支持軸に対して回動自在に取り付けられ、前記持ち上げ部の回動に追従して一緒に回動し、前記持ち上げ部に引っ掛けられたトイレットペーパーの端部を前記持ち上げ部とともに押さえ込むための押さえ部とを備えているので、持ち上げ部がばね部材によって上側へと持ち上げられ、トイレットペーパーの切断端部が上側へと自動的に持ち上げられるようになる。そのため、利用者は、ホルダーの蓋部を持ち上げるだけで、トイレットペーパーの切断端部を外周面から分離することができ、かつ、トイレットペーパーの端部を容易に掴み取ることができるようになる。そのため、外周面にくっついた切断端部を探す必要が無くなり、特に視力の弱くなった年配の方にとって利便性が向上する。
また、持ち上げ部の先端部に引っ掛けられたトイレットペーパーの端部が自重等によって下側に落ちないようにすることができる。特に、使用によってトイレットペーパーの直径が小さくなって、端部が自重で落ち易くなった状態であっても、押さえ部で端部を上側から押さえ込むことによって、常に先端部に端部が引っ掛けられた状態を維持することができる。